(57)【要約】【課題】一つの部材に、窓と手掛け部を一体的に形成することにより、部品点数や扉本体への加工工数を削減しうるようにした、窓付き物品収納什器を提供する。【解決手段】物品収納室の前面開口部を開閉する前面板４aに、前方に開口する取付孔５を設け、この取付孔５に、前後方向を向き、かつ内部に窓Ｗが形成された枠部材８の前端部を嵌着し、この枠部材８の内側面に、外方に凹入する手掛け部１７を設ける。【選択図】  図３
2009213769.tif 000002
【特許請求の範囲】
【請求項１】
物品収納室の前面開口部を開閉する前面板に窓を設けてなる窓付き物品収納什器において、
前記前面板に、前方に開口する取付孔を設け、この取付孔に、前後方向を向き、かつ内部に前記窓が形成された枠部材の外面前端部を嵌着し、この枠部材の内面に、外方に凹入する手掛け部を設けたことを特徴とする窓付き物品収納什器。
【請求項２】
枠部材における手掛け部よりも後方において、窓に、透明板を設けてなる請求項１記載の窓付き物品収納什器。
【請求項３】
枠部材における手掛け部よりも後方において、窓を、複数の窓孔を有する後片により閉塞してなる請求項１記載の窓付き物品収納什器。
【請求項４】
枠部材における物品収納室内に位置する部分の外周部に、換気孔を設けてなる請求項１〜３のいずれかに記載の窓付き物品収納什器。
【請求項５】
枠部材を、正面視縦長のものとし、手掛け部を、枠部材の一方の内側面に、上下方向のほぼ全長に亘って形成してなる請求項１〜４のいずれかに記載の窓付き物品収納什器。
【請求項６】
枠部材を、前面板の上下の端部に至る上下寸法とし、窓を、枠部材の上下方向のほぼ全長に亘って形成してなる請求項１〜５のいずれかに記載の窓付き物品収納什器。
【請求項７】
枠部材の外側面に、前面板の後方に位置する外向片を連設し、この外向片に、前面板を閉止状態に係止する係止手段を設けてなる請求項１〜６のいずれかに記載の窓付き物品収納什器。
【請求項８】
枠部材の一方の外側縁に、前面板における取付孔の一方の側縁に嵌合しうる係合溝を設けるとともに、枠部材の他方の外側縁に、前面板における取付孔の他方の側縁部前面に当接する縁片と、取付孔の他方の側縁部の後面に弾性係合する弾性係合片とを設けてなる請求項１〜７のいずれかに記載の窓付き物品収納什器。
【発明の詳細な説明】
【技術分野】
【０００１】
本発明は、ロッカーやキャビネット等の窓付き物品収納什器に関する。
【背景技術】
【０００２】
ロッカーやキャビネットの中には、収納物品を外部から確認したり、多数の物品収納室の使用状況を容易に確認したりしうるように、扉の前面板に窓を設けたものがある(例えば特許文献１〜３参照)。
【特許文献１】特開平５−２１４８６１号公報
【特許文献２】特開平１１−１２６２７７号公報
【特許文献３】特開２００３−２７８４５１号公報
【発明の開示】
【発明が解決しようとする課題】
【０００３】
上記特許文献１〜３に記載されているものにおいては、扉本体の一部に窓孔を設け、この窓孔に、ガラスやアクリル等の透明板を嵌め込むか、窓孔の開口縁部に保持部材を設け、これにより透明板を保持している。
このような構造では、扉を開閉操作する手掛け部や施錠機構等を、窓部に設けることが難しいため、窓部とは別の部分に手掛け部を取付けたり、手掛け部や施錠装置等を取り付けるための加工を、別途施したりする必要があり、部品点数や加工工数が増えるとともに、扉の構造も複雑化するので、コスト高となる。
【０００４】
本発明は、上記問題点に鑑みてなされたもので、一つの部材に、窓と手掛け部を形成することにより、部品点数や前面板等への加工工数を削減することができ、かつ施錠機構等をも容易に取付けうるようにし、安価な窓付き物品収納什器を提供することを目的としている。
【課題を解決するための手段】
【０００５】
本発明によると、上記課題は、次のようにして解決される。
（１)物品収納室の前面開口部を開閉する前面板に窓を設けてなる窓付き物品収納什器において、前記前面板に、前方に開口する取付孔を設け、この取付孔に、前後方向を向き、かつ内部に前記窓が形成された枠部材の外面前端部を嵌着し、この枠部材の内面に、外方に凹入する手掛け部を設ける。
【０００６】
（２）上記(１)項において、枠部材における手掛け部よりも後方において、窓に、透明板を設ける。
【０００７】
（３）上記(１)項において、枠部材における手掛け部よりも後方において、窓を、複数の窓孔を有する後片により閉塞する。
【０００８】
（４）上記(１)〜(３)項のいずれかにおいて、枠部材における物品収納室内に位置する部分の外周部に、換気孔を設ける。
【０００９】
（５）上記(１)〜(４)項のいずれかにおいて、枠部材を、正面視縦長のものとし、手掛け部を、枠部材の一方の内側面に、上下方向のほぼ全長に亘って形成する。
【００１０】
（６）上記(１)〜(５)項のいずれかにおいて、枠部材を、前面板の上下の端部に至る上下寸法とし、窓を、枠部材の上下方向のほぼ全長に亘って形成する。
【００１１】
（７）上記(１)〜(６)項のいずれかにおいて、枠部材の外側面に、前面板の後方に位置する外向片を連設し、この外向片に、前面板を閉止状態に係止する係止手段を設ける。
【００１２】
（８）上記(１)〜(７)項のいずれかにおいて、枠部材の一方の外側縁に、前面板における取付孔の一方の側縁に嵌合しうる係合溝を設けるとともに、枠部材の他方の外側縁に、前面板における取付孔の他方の側縁部前面に当接する縁片と、取付孔の他方の側縁部の後面に弾性係合する弾性係合片とを設ける。
【発明の効果】
【００１３】
請求項１記載の発明によれば、前面板の取付孔に嵌着した一つの枠部材に、窓と手掛け部とを形成してあるので、部品点数及び前面板への加工工数が削減され、コスト低減が図れる。
【００１４】
請求項２記載の発明によれば、透明板を通して、物品収納室内の物品の有無を、前方より容易に確認しうるとともに、窓が透明板により塞がれているので、収納した物品が外部よりいたずらされるなどの恐れがない。
【００１５】
請求項３記載の発明によれば、後片の複数の窓孔を通して、物品収納室内の物品の有無を、前方より容易に確認しうるとともに、物品収納室内が換気されるので、前面板に、別途換気孔を設ける必要がなく、加工工数及びコストが削減される。
【００１６】
請求項４記載の発明によれば、枠部材の外周部に設けた換気孔により、物品収納室内が換気されるので、前面板に、別途換気孔を設ける必要がなく、加工工数及びコストが削減される。
また、請求項３記載の発明と併用すると、物品収納室内を効果的に換気することができる。
【００１７】
請求項５記載の発明によれば、手掛け部が上下方向に長いので、例えば前面板が、一側部を中心として前方に開閉される扉とし、かつ物品収納什器が上下複数の物品収納室を有し、そのそれぞれの扉に枠部材を取付けた際において、低い位置から高い位置の物品収納室の扉まで、姿勢を大きく変えることなく開閉することができ、使い勝手がよくなる。
【００１８】
請求項６記載の発明によれば、物品収納室内が上下複数の収納室に仕切られていても、上下方向に長い一つの窓を通して、各収納室内の物品の有無を確認することができる。
【００１９】
請求項７記載の発明によれば、枠部材に設けた外向片に、係止手段としての例えば施錠装置やラッチ等を取付けるうるので、それらを取付けるための加工を前面板に施す必要がなく、加工工数及びコストが削減される。
また、施錠装置やラッチを予め枠部材に組み付けた後、枠部材を前面板の取付孔に嵌着するだけでよいので、組付作業が能率的となる。
【００２０】
請求項８記載の発明によれば、ねじ等の固定手段や工具等を使用することなく、単に、枠部材を前面板の取付孔に前方より嵌合するだけで、枠部材を前面板に簡単に取付けることができる。
【発明を実施するための最良の形態】
【００２１】
以下、本発明の一実施形態を、図面に基づいて説明する。
図１は、例えば学校や公共施設等において、生徒や来訪者の靴を多数収納するのに用いられる物品収納什器の正面図で、縦横に区画された多数の物品収納室１の前面には、窓付き扉２が、右端部のヒンジ(図示略)を中心として前方に開閉しうるように取付けられている。各物品収納室１の内部は、水平の仕切板３により上下２段に仕切られている。
【００２２】
図２の拡大正面図及び図３の拡大横断平面図に示すように、各窓付き扉２の扉本体４は、鋼板製の前面板４aと、その後側に離間する後面板４bとを備え、前面板４aと後面板４bの左側部には、それぞれ、上下方向を向く長方形の取付孔５と、それよりも開口幅の大きい取付孔６とが形成されている。前側の取付孔５の左右の縁部の後面には、対向する鉤形フランジ７が突設されている。
【００２３】
扉本体４の取付孔５、６には、縦長方形の合成樹脂製の枠部材８が取付けられている。
枠部材８は、左右の側片９、１０、上片１１、底片１２、及び後片１３により、前面が開口する後向きの凹入部１４が形成された縦長箱状の把手本体１５と、左方の側片９の外側面のほぼ全高に亘って連設された外向片１６とを備えている。
【００２４】
左方の側片９の前端部には、内向折曲部９aが形成され、内向折曲部９aの後側は、外側方に凹入する上下方向に長い手掛け部１７となっている。内向折曲部９aの内端、上片１１と底片１２、及び右方の側片１０の前端には、外向きの縁片１８が、枠状をなすようにして形成されている。内向折曲部９aと、その部分における縁片１８との対向面間には、前面板４aの板厚よりも若干大寸の外側方に開口する係合溝１９が形成されている。
【００２５】
把手本体１５の右方の側片１０は、前方に向かって外方へ斜めに傾斜させてある。側片１０の外側面のやや後部には、前方を向く上下２個の弾性係合片２０、２０が、側片１０よりやや離間させて、かつ前端が縁片１８の後面と近接して対向するようにして、連設されている。縁片１８と各弾性係合片２０の前端との間に形成された隙間は、前面板４aの板厚とほぼ等しい係合溝２１となっている。
上片１１と底片１２には、多数の換気孔２２が穿設されている。
【００２６】
後片１３の左右の側端部を除くほぼ全面には、上下方向に長い長方形の窓孔２３が形成され、この窓孔２３に、後片１３と等しい厚さのアクリル等よりなる透明板２４を嵌め込むことにより、物品収納室１内の上下２段の収納室を前方より見通しうる窓Ｗが形成されている。
【００２７】
枠部材８を扉本体４の前面板４aと後面板４bに取付けるには、図４に示すように、枠部材８全体を斜めにして、外向片１６側を、前面板４aと後面板４bの取付孔５、６に前方より挿入し、把手本体１５の左方の側片９の前端部に形成された係合溝１９を、取付孔５における左側の側縁部に係合させる。
【００２８】
ついで、枠部材８全体を後向きに回動させ、把手本体１５の右端部側を、前面板４aと後面板４bの取付孔５、６内に、右側部の縁片１８の後面が取付孔５の側縁部の前面と当接するまで嵌合する。すると、右側の側片１０の外面に設けた弾性係合片２０が、取付孔５の右方の開口縁に当接して、左方に弾性変形させられ、かつ弾性係合片２０の前端が、開口縁を乗り越えて右方に弾性復元することにより、取付孔５の右方の側縁部が係合溝２１と係合して、枠部材８が前方に抜け外れるのが防止される。
【００２９】
外向片１６の上下方向の中央部には、係止手段である施錠装置２５が、キー差込み部２５aを前面板４aの前面に突出させ、かつキーの操作により回動させられる施解錠レバー２５bが、各物品収納室１における左側の側面板２６の内側面に設けた施解錠孔(図示略)と係脱しうるようにして、取付けられている。
また、外向片１６の上端部には、係止手段であるラッチ２７が、垂直軸２８まわりに回動しうるように、かつ捩りばね２９により、常時外側方に付勢して取付けられている。このラッチ２７は、窓付き扉２の開閉時において、側面板２６の側面に形成された係合孔３０と自動的に係脱しうるようになっている。
【００３０】
以上説明したように、上記実施形態においては、扉本体４に取付けた一つの枠部材８に、手掛け部１７と、透明板２４よりなる窓Ｗとを一体的に形成し、かつ施錠装置２５やラッチ２７も、枠部材８の外向片１６に取付けてあるので、部品点数及び扉本体４への加工工数が削減され、コストの低減が図れる。
【００３１】
また、施錠装置２５やラッチ２７を予め枠部材８に組み付けた後、枠部材８を扉本体４の取付孔５、６に前方より嵌合して取付けるだけでよいので、組付作業が能率的となる。
しかも、枠部材８を、ねじ等の固定手段や工具等を使用することなく、扉本体４に簡単に取付けることができる。
【００３２】
さらに、手掛け部１７は、上下方向に長い把手本体１５全体の左方の側端部に、上下方向を向くようにして形成されているので、図１に示すように、物品収納室１が上下方向に並ぶものであっても、低い位置から高い位置の物品収納室１まで、姿勢を大きく変えることなく、窓付き扉２を開閉することができる。
【００３３】
把手本体４及びそれに設けた窓Ｗの上下寸法は、扉本体４の上下の端部に至る長さとしてあるので、一つの窓Ｗを通して、物品収納室１内の上下２段の収納室に収納した靴等の物品を、一目で確認しうるとともに、多数の物品収納室１の使用状況を、扉を閉めたまま簡単に確認することができる。
【００３４】
上記実施形態では、窓Ｗを、透明なものとしたが、図５に示すように、把手本体１５の窓孔２３に、後片としての複数の小さな窓孔３１を有する格子板３２を嵌め込むことにより、格子状の窓Ｗとしてもよい。なお、物品収納室１内を見通せるものであれば、格子状の窓Ｗに限らず、横桟を上下方向に複数並べたもの、あるいは、縦桟を左右方向に複数並べたものでもよく、また、把手本体１５の後片１３に、複数の窓孔を、直接穿設したものであってもよい。このような複数の窓孔３１を有する窓Ｗとすると、物品収納室１の内部が換気されるので、上片１１と底片１２に設けた換気孔２２との相乗効果により、内部を効果的に換気することができ、また、上片１１と底片１２における換気孔２２省略することもできる。
【００３５】
上記実施形態では、枠部材８に連設した外向片１６に、施錠装置２５とラッチ２７を取り付けているが、それらのいずれか一方または両方を省略することもある。施錠装置２５とラッチ２７を省略した際には、扉本体４と側面板２６との対向面に、マグネットキャッチ等を設ければよい。
【００３６】
本発明は、キャビネット等の引出しにも適用しうる。その際には、引出しの前面板に取付けた枠部材８における上片１１の下面を上向きに凹入させて、手掛け部１７を形成するか、底片１２の上面を下向きに凹入させて、手掛け部１７を形成すればよい。
【図面の簡単な説明】
【００３７】
【図１】本発明の一実施形態を備える収納什器の正面図である。
【図２】同じく、収納什器における物品収納室の拡大正面図である。
【図３】図２のIII-III線拡大横断平面図である。
【図４】扉本体への枠部材の取付要領を示す拡大横断平面図である。
【図５】窓の変形例を示す物品収納室の拡大正面図である。
【符号の説明】
【００３８】
１    物品収納室
２    窓付き扉
３    仕切板
４    扉本体
４a   前面板
４b   後面板
５    取付孔
６    取付孔
７    鉤形フランジ
８    枠部材
９    側片
９a   内向折曲部
１０  側片
１１  上片
１２  底片
１３  後片
１４  凹入部
１５  把手本体
１６  外向片
１７  手掛け部
１８  縁片
１９  係合溝
２０  弾性係合片
２１  係合溝
２２  換気孔
２３  窓孔
２４  透明板
２５  施錠装置(係止手段)
２５a キー差込み部
２５b 施解錠レバー
２６  側面板
２７  ラッチ(係止手段)
２８  垂直軸
２９  捩りばね
３０  係合孔
３１  窓孔
３２  格子板(後片)
Ｗ    窓
【図１】
2009213769.tif 000003
【図２】
2009213769.tif 000004
【図３】
2009213769.tif 000005
【図４】
2009213769.tif 000006
【図５】
2009213769.tif 000007